(57)【要約】【課題】従来の中医学の治療効果及び／又は健康増進効果を高めるために、鍼灸、吸い玉およびもぐさ灸の組み合わせを実現する。【解決手段】多機能もぐさ灸箱は、上部と下部の両方に開口が設けられ、上部の開口が上口縁（１１）であり、下部の開口が土台部（１２）まで延在するケーシング（１）と、ケーシング（１）の土台（１２）下部に設けられる両面テープ（３）と、長さがケーシング（１）の長さより短く、上部と底部に上部開口と底部開口が設けられ、残りの部分がネット状に構成され、その外縁の上部に、前記ケーシング（１）の上口縁（１１）に入れる際に、ケーシング（１）の上口縁（１１）に係止されるフランジ（４２）が設置される、もぐさ灸用ネット（４）とを備えることが特徴である。鍼灸を行う際には、鍼灸針の尾部を中空柱（２）の中空空間に収納させ、鍼灸針が刺さっている皮膚部分に対して加熱することができるため、鍼灸と併用し、治療や健康増進の効果を大幅に高めることができる。【選択図】図１
2021508582.tif 000002
【特許請求の範囲】
【請求項１】
上部と下部の両方に開口が設けられ、上部の開口が上口縁であり、下部の開口が土台部まで延在するケーシングと、
ケーシングの土台下部に設けられる両面テープと、
長さがケーシングの長さより短く、上部と底部に上部開口と底部開口が設けられ、残りの部分がネット状に構成されるもぐさ灸用ネットとを備え、
前記もぐさ灸用ネットの外縁の上部に、ケーシングの上口縁に入れる際に、ケーシングの上口縁に係止されるフランジが設置されることを特徴とする、多機能もぐさ灸箱。
【請求項２】
前記もぐさ灸用ネットの底部において、底部開口周縁に沿って上方開口方向に延在する中空柱を形成し、艾しゅを簡易に中空柱にかぶせることができることを特徴とする、請求項１に記載の多機能もぐさ灸箱。
【請求項３】
前記中空柱は、もぐさ灸用ネットの底部中央部に配置されていることを特徴とする、請求項２に記載の多機能もぐさ灸箱。
【請求項４】
底部からもぐさ灸用ネットまでの高さを調整できるように、前記ケーシングは二部分からなるように設計されていることを特徴とする、請求項１〜３のいずれかに記載の多機能もぐさ灸箱。
【請求項５】
ケーシング上部開口を密閉する蓋をさらに備えることを特徴とする、請求項１〜３のいずれかに記載の多機能もぐさ灸箱。
【請求項６】
ケーシングを覆う断熱カバーをさらに備えることを特徴とする、請求項１〜３のいずれかに記載の多機能もぐさ灸箱。
【請求項７】
もぐさ灸用ネットの底部に、もぐさ灸を浮かせるための浮遊装置が設置されていることを特徴とする、請求項１〜３のいずれかに記載の多機能もぐさ灸箱。
【請求項８】
前記浮遊装置は浮遊用鋼線であり、前記浮遊用鋼線の両端はそれぞれもぐさ灸用ネットの壁と中空柱に固定されることを特徴とする、請求項７に記載の多機能もぐさ灸箱。
【請求項９】
前記浮遊装置は、もぐさ灸用ネットの底部から突出する円錐体、または底部または側部から突出する留めピンであることを特徴とする、請求項７に記載の多機能もぐさ灸箱。
【請求項１０】
前記中空柱は、円筒形、正方形、または円錐形であることを特徴とする、請求項２または３に記載の多機能もぐさ灸箱。
【請求項１１】
前記多機能もぐさ灸箱は、ケーシングの上部開口部に設けられる濾過装置をさらに備えることを特徴とする、請求項１〜３のいずれかに記載の多機能もぐさ灸箱。
【請求項１２】
前記中スリーブ部品の外部表面には、温度警告ベルトが設けられていることを特徴とする、請求項１に記載の多機能もぐさ灸箱。
【発明の詳細な説明】
【技術分野】
【０００１】
本発明は、箱に関し、特に多機能もぐさ灸箱に関する。
【背景技術】
【０００２】
中医薬の理論では、もぐさ灸は体の気を補って脾胃を温めるため、活力を保ち、体力を蓄え、老化を防ぐなどの効果があると考えている。もぐさ灸技術は昔から中国において広く利用されてきた。もぐさ灸療法は、もぐさを丸め、または現代の技術によって艾しゅ（もぐさを成型したもの）や棒状なものにし、それを燃焼することによって生じる熱をツボに与えて刺激し、熱で筋脈を刺激することによって人体の機能を調整し、病気の予防や治療の目的を果たす治療方法である。
【０００３】
従来のもぐさ灸療法は、もぐさを丸めて皮膚に置き、または生姜スライスを介して加熱する。また、もぐさを棒状に加工し、その一端を燃やしてからそれを人手で治療箇所の皮膚に近づけ、放射熱による治療を行う。
【０００４】
また、艾しゅを使用したもぐさ灸箱によるもぐさ灸治療もあるが、既存のもぐさ灸箱では、艾しゅの燃焼箇所から皮膚までの距離が一定であるため、人によって距離を調節するような治療を行うことは困難であり、治療の効果に影響を与えることがある。
【０００５】
吸玉も従来の中医学で一般的に用いられている健康管理及び／又は治療方法であるが、既存技術では、吸玉ともぐさ灸を組み合わせた治療方法や、吸玉ともぐさ灸を組み合わせた装置は発明されていない。
【０００６】
また、鍼灸も従来の中医学で一般的に用いられている健康管理及び／又は治療法であるが、既存技術では、鍼灸ともぐさ灸を組み合わせた治療方法や、鍼灸ともぐさ灸を組み合わせた装置は発明されていない。
【発明の概要】
【０００７】
発明の実施例において示される目的は、従来の中医学の治療効果及び／又は健康増進効果を高めるために、鍼灸ともぐさ灸の組み合わせを実現する多機能もぐさ灸箱を提供することである。
【０００８】
本発明の実施例において提供される多機能もぐさ灸箱は、上部と下部の両方に開口が設けられ、上部の開口が上口縁であり、下部の開口が土台部まで延在するケーシングと、ケーシングの土台下部に設けられる両面テープと、長さがケーシングの長さより短く、上部と底部に上部開口と底部開口が設けられ、残りの部分がネット状に構成され、その外縁の上部に、前記ケーシングの上口縁に入れる際に、ケーシングの上口縁に係止されるフランジが設置される、もぐさ灸用ネットとを備えることが特徴である。
【０００９】
鍼灸を行う際には、鍼灸針の尾部をもぐさ灸用ネットの底部開口に通して、中空の艾しゅに収納させることができ、温灸中でも鍼灸針を容易に温めることができるため、鍼灸と併用し、治療や健康増進の効果を大幅に高めることができる。
【００１０】
もぐさ灸用ネットの底部において、底部開口周縁に沿って上方開口方向に延在する中空柱を形成することによって、艾しゅを簡易に中空柱にかぶせることができる。
【００１１】
前記中空柱は、もぐさ灸用ネットの底部中央部に配置されている。前記中空柱は、円筒形、正方形、または円錐形である。
【００１２】
前記ケーシングは、温灸中に温度が過度に高くなって火傷を起こすことがないように、前記ケーシングを二部分にして、その底部からもぐさ灸用ネットまでの高さを調整できるようにする。
【００１３】
前記多機能もぐさ灸箱はケーシング上部開口を密閉して吸玉機能を実現する蓋をさらに備え、温灸を行う際には、ケーシング上部開口を蓋で密閉してケーシング内部を負圧にすることにより、もぐさ灸と吸玉の組み合わせを実現する。
【００１４】
前記多機能もぐさ灸箱は、ケーシングを覆う断熱カバーをさらに備えている。
【００１５】
もぐさ灸用ネットの底部には、もぐさ灸を浮かせるための浮遊装置が設置されている。
【００１６】
前記浮遊装置は浮遊用鋼線であり、前記浮遊用鋼線の両端はそれぞれもぐさ灸用ネットの壁と中空柱に固定されている。
【００１７】
前記浮遊装置は、もぐさ灸用金属ネットの底部から突出する円錐体である。
【００１８】
前記浮遊装置は、底部または側部から突出する留めピンである。
【００１９】
前記多機能もぐさ灸箱は、ケーシングの上部開口部に設けられる濾過装置をさらに備える。
【００２０】
中スリーブ部品の外部表面には、温度警告ベルトが設けられている。
【００２１】
前記多機能もぐさ灸箱は、断熱カバーをさらに備えている。温灸を行う最中にケーシングの温度が過度に高くなった場合、断熱カバーを使用してもよい。ケーシングを上から下に覆うことによって、火傷を防止することができる。断熱カバーは、異なる形状を有してもよい。
【図面の簡単な説明】
【００２２】
【図１】本発明の好ましい実施例を示す構造分解図である。
【図２】本発明の好ましい実施例を示す構造半断面図である。
【図３】本発明のもぐさ灸用ネットを示す半断面図である。
【図４】本発明の他の好ましい実施例を示すケーシング構造分解図である。
【図５】本発明の他の好ましい実施例を示す立体構造組み合わせの一部の断面図である。
【図６】本発明の実施例における浮遊装置を浮遊用鋼線としたもぐさ灸用金属ネットを示す図である。
【図７】本発明の実施例における浮遊装置を円筒状としたもぐさ灸用金属ネットを示す図である。
【図８】本発明の実施例における浮遊装置を円錐状としたもぐさ灸用金属ネットを示す図である。
【図９】本発明の好ましい実施例を示す立体構造分解図である。
【図１０】本発明のもぐさ灸箱の中スリーブ部品の外部表面に設けられる温度警告ベルトである。
【発明を実施するための形態】
【００２３】
当業者が本発明を理解し、実施しやすいように、本発明の実施例について図面を参照しながら説明する。
【００２４】
本発明では、もぐさ灸用金属ネットを例にしてもぐさ灸用ネットを説明するが、もぐさ灸用ネットの材質は金属であってもよいし、他の材質であってもよい。
【００２５】
図１〜図５に示すように、本実施例は多機能もぐさ灸箱を提供している。多機能もぐさ灸箱は、その上部と下部の両方に開口が設けられ、上部の開口が上口縁１１であり、下部の開口が土台部１２まで延在し、土台部１２の下部に両面テープ３が設けられているケーシング１と、もぐさ灸用ネット４とを備える。もぐさ灸用ネット４は、長さがケーシング１の長さより短く、上部と底部に上部開口と底部開口が設けられ、残りの部分がネット状に構成され、空間が形成される。好ましくは、もぐさ灸用ネットの底部において、底部開口周縁に沿って上方開口方向に延在する中空柱２を形成し、艾しゅを簡易に中空柱にかぶせるようにする。前記もぐさ灸用ネットの外縁の上部に、ケーシング1の上口縁11に入れる際に、ケーシング1の上口縁11に係止されるフランジ４２が設置される。
【００２６】
前記もぐさ灸用ネット４が上方からケーシング1の中空空間に設置された後、もぐさ灸に火をつけてもぐさ灸用ネット４に挿入する際に、火の屑が落ちて皮膚を火傷することがない。前記もぐさ灸用ネット４はもぐさ灸の直径、大きさまたは外形によって、側壁の厚みを調節し、艾しゅを固定することができる。前記もぐさ灸用ネットの底部４１および側部４３はネット状である。中空柱２は中空の筒形であり、中空柱の壁はもぐさ灸用ネットの底部から上方方向に延在し、中空柱の下方に開口があることによって、中空の艾しゅは中空柱２にかぶせることができる。鍼灸を行う際には、鍼灸針の尾部をもぐさ灸用ネットの底部開口に通して、中空柱２の中空空間に収納することができ、温灸中でも鍼灸針を容易に温めることができるため、鍼灸と併用し、治療や健康増進の効果を大幅に高めることができる。
【００２７】
本発明によれば、中空柱は、もぐさ灸用ネットの底部中央部に位置することが好ましい。中空柱の形状は、円筒形、正方形、円錐形またはその他の形状でもよい。
【００２８】
また、もぐさ灸用ネットの底部には、もぐさ灸を浮かせるための浮遊装置が設置されている。
【００２９】
図６〜図８に示すように、浮遊装置は、両端がそれぞれもぐさ灸用金属ネットの壁と中空柱に固定されている浮遊用鋼線５２でもよい。またはもぐさ灸用金属ネットの底部または側部から突出する円筒体５３でもよい。またはもぐさ灸用金属ネットの底部から突出する円錐体５４でもよい。または底部または側部から突出する留めピンでもよい。本発明の浮遊装置はもぐさ灸用金属ネットの底部に設置されるため、もぐさ灸用金属ネットの底部の空気の流動を増加させ、もぐさ灸に火をつけた後、もぐさ灸の燃焼に資し、消えにくくなる。
【００３０】
もぐさ灸に火をつけた際の熱は、人の忍耐力によって皮膚に与える刺激の感覚が異なる。本発明の他の実施形態によれば、図４に示すように、前記ケーシングは二部分からなるように設計され、もぐさ灸用ネットから底部までの高さを調整できるようにする。また、二部分に設計されると、ネジ式やピストン式でもぐさ灸用ネットから底部までの高さを調整することによって、人体との距離を変化させ、その距離を通じて温灸による皮膚に対する熱力の刺激を調節する。
【００３１】
本発明の実施形態によれば、多機能もぐさ灸箱はケーシング上部開口を密閉して吸玉機能を実現する蓋５をさらに備え、もぐさ灸の火が消える前に、ケーシング上部開口を蓋５で密閉してケーシング内部を負圧にすることにより、もぐさ灸と吸玉の組み合わせを実現する。その時の治療模式は中医学の吸玉療法における火缶であり、ケーシング内の酸素が燃え尽きることによって形成される負圧を利用して吸玉作用を達成し、吸玉効果を得る。
【００３２】
ケーシング1は、四角形や円形など、各種異なる外形寸法であってもよい。
【００３３】
前記ケーシング1の下部開口の底部にある土台１２は環状両面テープ３を使用して皮膚に固定することができるため、本発明の多機能もぐさ灸箱は人体の傾斜部位の位置でも使用可能となる。
【００３４】
前記多機能もぐさ灸箱は、上部と下部の両方に開口部を設けた断熱カバー６をさらに備える。温灸を行う最中にケーシングの温度が過度に高くなった場合、断熱カバー６がケーシング１を上から下に覆うことによって、火傷を防止することができる。断熱カバーは異なる形状を有していてもよい。また、断熱カバー６は別の方法でケーシング1を覆い、空気の流量を減らしてもぐさ灸の燃焼速度を遅らせることによって、温度を下げることもできる。
【００３５】
図９に示すように、本発明の実施例では、艾しゅを燃焼させた際に発生する艾煙を濾過するための交換可能な濾過シートを備えたもぐさ灸箱を提供する。もぐさ灸箱はケーシング、環状支持部材９５および艾しゅ用ネット９６をさらに備える。前記ケーシングは、上部外スリーブ部品９１、中スリーブ部品９２、下部スリーブ部品９３、内スリーブ部品９４を備え、すべてのスリーブ部品も円筒形状であり、環状支持部材９５を固定するために内スリーブ部品９４が中スリーブ部品９２の内側に設置される。
【００３６】
前記環状支持部材９５は、内スリーブ部品９４の上に設置され、艾しゅ用ネットを固定するために中部孔を有する。前記艾しゅ用ネット９６は、艾しゅを置くためのものであって、長さが中スリーブ部品９２の長さより短く、上部に開口が設けられ、残りの部分がネット状に構成され、断面はＵ字形であり、内壁の形状はもぐさ灸の形状に対応し、その上部に、環状支持部材９５の中部孔に入れる際に、環状支持部材９５に係止されるフランジが設置され、落下を防止する。
【００３７】
艾しゅ用ネット９６は鍼灸針と組み合して使用するために中空柱にしてもよい（図６〜８参照）。鍼灸針をツボに刺した後、治療効果を高めるために温灸を行いたいと判断した場合、もぐさ灸を点火したもぐさ灸箱を鍼灸針の上方に直接置くことによって、鍼灸針が艾しゅ用ネット９６の中空柱を貫通し、鍼灸ともぐさ灸を組み合した併用治療の効果を得ることができる。
【００３８】
本発明の実施例によれば、濾過装置９７は濾過シートでもよい。濾過装置９７は上部外スリーブ部品９１の上部開口に設置され、耐熱の濾過材料を使用する。上部外スリーブ部品９１は中スリーブ部品９２と結合して濾過機能を形成できる。また、上部外スリーブ部品９１は内部機構９８と結合して蓋状を形成し、蓋を取り替えることによってケーシングを何回も使用することができる。
【００３９】
下部スリーブ部品９３の下部は土台となっており、中スリーブ部品９２は、下部スリーブ部品９３に対して軸方向に沿って移動することによって、艾しゅから皮膚までの距離を調整する。本発明の多機能もぐさ灸箱は濾過装置を備えるため、温灸を行う際に、濾過装置が艾煙を濾過することができ、環境に優しい効果を奏することができる。前記濾過装置は濾過カバーであり、濾過カバーに濾過シートが設置される。艾しゅを艾しゅ用ネットの中に置いてから濾過カバーを閉め、使用後には、濾過カバーを開け、艾しゅの灰を捨て、新しい艾しゅうを入れれば二次治療をすることができる。一定期間にわたって使用した後、容易に濾過シートを交換できる。濾過シートの材質は耐火材料である。
【００４０】
濾過シートは、香りを浸透させることができ、もぐさ灸の燃焼温度によって、濾過シートは艾煙を濾過しながら事前に浸透させた香りを放つことができる。特に消費者の香りに対する好みによって迅速に香りを交換することができる。温灸を行う際と同時に香りの選択もでき、特に治療中の異なる治療コースによって濾過シートを迅速に交換できる新機能を搭載する。
【００４１】
図１０に示すように、季節や動作環境温度の違いによって、温灸の効果に差が出る。皮膚に一定且つ効果的な温度を与えるため、中スリーブ部品２の外部表面には温度警告ベルトが設けられている。温度警告ベルトは安全ゾーン（緑色が好ましい）、一般警告ゾーン（黄色が好ましい）および厳重警告ゾーン（赤色が好ましい）が含まれている。そのうち、中スリーブ部品２の外部表面において、安全ゾーン、一般警告ゾーン、厳重警告ゾーンの順で下から上に向かって配置され、中スリーブ部品２に安全ゾーンが表示される場合、燃焼中のもぐさ灸と皮膚の距離は安全状態を示すが、もぐさ灸の効果が少し弱い可能性がある。一般警告ゾーンが表示される場合、燃焼中のもぐさ灸と皮膚の距離は近くなっていると示し、注意が必要である。厳重警告ゾーンが表示される場合、燃焼中のもぐさ灸と皮膚の距離はかなり近いと示し、実際の状況に応じて中スリーブ部品２を調節する必要がある。本実施例では、３種類の異なる環境温度上の温度警告ベルトを表示し、異なる環境温度に対し、安全ゾーン、一般警告ゾーンおよび厳重警告ゾーンが中スリーブ部品２の外部表面に配置される高さ位置は異なるが、配列順は同様である。
【００４２】
図１０に示すように、使用時の環境温度が比較的高い場合（例えば＞２９℃または＞華氏８４度の場合）は、中スリーブ部品２を下スリーブ部品３に対してより多く引っ張り出し、つまり燃焼中のもぐさ灸と皮膚の距離が比較的に遠くしても、完全な赤色（つまり黄色と緑色がない状態）が表示される可能性もある。環境温度が比較的低い場合（例えば＜２４℃または＜華氏７５度の場合）は、中スリーブ部品２がより低く押されたときのみ、完全な赤色が表示される。温度警告ベルトが設けられている中スリーブ部品２を通じてもぐさ灸と皮膚の距離を調節することによって、もぐさ灸が燃焼中の際に、施術者は温度警告ベルトに応じて中スリーブ部品２の高さを容易に調節し、皮膚に一定且つ効果的な温度を与えることができる。
【００４３】
本発明の実施形態によれば、鍼灸ともぐさ灸を組み合わせた治療法を提供し、さらに吸玉とも組み合わせることによって、従来中医学の治療法を互いに組み合わせて治療効果を高めることができる。
【００４４】
また、本発明は、糖尿病患者または皮膚感覚の悪い患者のような方において、火傷後の創傷が癒合しにくい状況があり、または無意識の患者、皮膚感覚を正確に反映できない患者に対しても、保護効果を生じる。
【００４５】
実施例によって本発明を説明したが、本発明の範囲は請求項によって定められるものであって、本発明と同一の範囲内において、あるいは均等の範囲内において、種々の修正や変形を加えることが可能である。
【図１】
2021508582.tif 000003
【図２】
2021508582.tif 000004
【図３】
2021508582.tif 000005
【図４】
2021508582.tif 000006
【図５】
2021508582.tif 000007
【図６】
2021508582.tif 000008
【図７】
2021508582.tif 000009
【図８】
2021508582.tif 000010
【図９】
2021508582.tif 000011
【図１０】
2021508582.tif 000012
【国際調査報告】
2021508582.tif 000013
2021508582.tif 000014
2021508582.tif 000015
2021508582.tif 000016
2021508582.tif 000017
2021508582.tif 000018